(57)【要約】【課題】形状を自由に選択でき、かつ、形状を変更する際の規制角度変更が容易に行えるペット用多機能型パネル構造体を得る。【解決手段】本発明に係るペット用多機能型パネル構造体１は、複数のパネル体３を連結してなるパネル構造体であって、隣接するパネル体３を回動可能にかつ着脱可能に連結する連結部と、隣接配置されたパネル体３の上部に跨るように設置され、隣接配置されたパネル体３のなす角度を所望の角度に規制する角度規制部材（角度規制上部材９と角度規制下部材１１）とを備えてなり、角度規制上部材９と角度規制下部材１１は、前記各パネル体３の上部に着脱可能に設置されるパネル設置部１５と、互いに係合して所望の角度に規制する角度規制部（第１角度規制部１７、第２角度規制部１９）とを有していることを特徴とするものである。【選択図】  図１
2013123395.tif 000002
【特許請求の範囲】
【請求項１】
複数のパネル体を連結してなるパネル構造体であって、
隣接する前記各パネル体を回動可能にかつ着脱可能に連結する連結部と、
隣接配置された前記パネル体の上部に跨るように設置され、隣接配置されたパネル体のなす角度を所望の角度に規制する角度規制部材とを備えてなり、
前記角度規制部材は、隣接する一方のパネル体側に設置される部材と、隣接する他方のパネル体側に設置される部材とで構成される一対からなり、各部材は、前記パネル体の上部に着脱可能に設置されるパネル設置部と、互いに係合して各部材の成す角度を所望の角度に規制する角度規制部とを有することを特徴とするペット用多機能型パネル構造体。
【請求項２】
前記角度規制部材は、角度規制上部材と角度規制下部材で一対となっており、前記角度規制上部材の前記角度規制部は、前記角度規制下部材の前記角度規制部にかぶさるように係合することを特徴とする請求項１に記載のペット用多機能型パネル構造体。
【請求項３】
前記角度規制部材をパネル体側に固定するための固定部材を有することを特徴とする請求項１又は２に記載のペット用多機能型パネル構造体。
【請求項４】
前記角度規制上部材と前記角度規制下部材は、角度規制部が係合している状態で各部材の角度規制部を貫通する貫通孔を有してなり、
前記固定部材は、一端に前記パネル体側に係合するための係合部を有し、他端に前記上部材角度規制部と係止するための鍔部を有する固定ピンからなり、
前記角度規制上部材と前記角度規制下部材は、前記固定ピンを前記貫通孔に挿通してパネル体側に固定されることを特徴とする請求項３に記載のペット用多機能型パネル構造体。
【請求項５】
前記連結部は、前記パネル体の一側面に設けられる第１側面連結部と、他側面に設けられる第２側面連結部とからなり、前記第１側面連結部には、下向きに突出する棒状の連結棒を有し、前記第２側面連結部には、他のパネル体の前記連結棒が上から差し込まれる連結孔を有することを特徴とする請求項１乃至４のいずれか一項に記載のペット用多機能型パネル構造体。
【請求項６】
前記パネル体は、扉を有することを特徴とする請求項１乃５のいずれか一項に記載のペット用多機能型パネル構造体。
【請求項７】
前記パネル体を４枚以上有し、これらのパネル体を環状に連結してなることを特徴とする請求項１乃至６のいずれか一項に記載のペット用多機能型パネル構造体。
【請求項８】
前記パネル体を３枚以上有し、これらのパネル体を平面視コ字状又は平面視ジグザグ状に連結してなることを特徴とする請求項１乃至６のいずれか一項に記載のペット用多機能型パネル構造体。
【発明の詳細な説明】
【技術分野】
【０００１】
本発明は、ペットの移動を規制するためのパネル構造体に関し、特にサークルやゲート等として機能するペット用多機能型パネル構造体に関する。
【背景技術】
【０００２】
ペットの移動を規制するパネル構造体としては、複数のパネル体を連結して構成され、種々の機能を有するものがある。例えば特許文献１には、各パネル体（文献中の「柵パネル（１ｆ）」）を折り畳み可能にして、使用しない場合にはコンパクトにできるという機能を付加した「動物飼育柵」がある。
また、使用時において形状や大きさを変更でき、設置スペースを有効利用できるという機能を有するパネル構造体の例としては、特許文献２に開示された「ペット用囲いおよびペット用囲いに用いられる支持体」がある。
【先行技術文献】
【特許文献】
【０００３】
【特許文献１】実開平３−７３３６５号公報
【特許文献２】実用新案登録第３０９３７９３号公報
【発明の概要】
【発明が解決しようとする課題】
【０００４】
特許文献１に開示されたパネル構造体は、連結されたパネル体のなす角度を規制するための角度規制部材（文献中の「留め具（４、４′）」）を用いている。
特許文献１の角度規制部材は、隣接して配置されるパネル体の連結部の上部に跨って設置する。しかし、該角度規制部材は単一の部材で構成されており、規制角度が角度規制部材毎に決まっている。そのため、特許文献１に開示されるパネル構造体の取り得る形状は、あらかじめ用意された角度規制部材の規制角度（例えば９０度、１８０度）に限定され、パネル構造体の形状を自由に変えることができないという問題がある。
【０００５】
また、特許文献２に開示されたパネル構造体の角度規制部材は、隣接して立設されたパネル体間の下に配置され、該各パネル体を支持すると共に角度を規制するものであり、規制角度をさまざまな角度に変更できる。
しかし、該角度規制部材は、パネル体の支持機能も兼ねているため、規制角度を変更するにはその度ごとにパネル体を持ち上げなければならない。従って、簡単には持ち上げることができいような大型のパネル体の場合には、パネル体の成す角度の変更を容易にはできないという問題がある。
【０００６】
本発明はかかる課題を解決するためになされたものであり、形状を自由に変更でき、かつ、形状を変更する際の操作が容易に行えるペット用多機能型パネル構造体を得ることを目的としている。
【課題を解決するための手段】
【０００７】
（１）本発明に係るペット用多機能型パネル構造体は、複数のパネル体を連結してなるパネル構造体であって、隣接する前記各パネル体を回動可能にかつ着脱可能に連結する連結部と、隣接配置された前記パネル体の上部に跨るように設置され、隣接配置されたパネル体のなす角度を所望の角度に規制する角度規制部材とを備えてなり、前記角度規制部材は、隣接する一方のパネル体側に設置される部材と、隣接する他方のパネル体側に設置される部材とで構成される一対からなり、各部材は、前記パネル体の上部に着脱可能に設置されるパネル設置部と、互いに係合して各部材の成す角度を所望の角度に規制する角度規制部とを有することを特徴とするものである。
【０００８】
（２）また、上記（１）に記載のものにおいて、前記角度規制部材は、角度規制上部材と角度規制下部材で一対となっており、前記角度規制上部材の前記角度規制部は、前記角度規制下部材の前記角度規制部にかぶさるように係合することを特徴とするものである。
【０００９】
（３）また、上記（１）又は（２）に記載のものにおいて、前記角度規制部材をパネル体側に固定するための固定部材を有することを特徴とするものである。
【００１０】
（４）また、上記（３）に記載のものにおいて、前記角度規制上部材と前記角度規制下部材は、角度規制部が係合している状態で各部材の角度規制部を貫通する貫通孔を有してなり、前記固定部材は、一端に前記パネル体側に係合するための係合部を有し、他端に前記上部材角度規制部と係止するための鍔部を有する固定ピンからなり、前記角度規制上部材と前記角度規制下部材は、前記固定ピンを前記貫通孔に挿通してパネル体側に固定されることを特徴とするものである。
【００１１】
（５）また、上記（１）乃至（４）のいずれかに記載のものにおいて、前記連結部は、前記パネル体の一側面に設けられる第１側面連結部と、他側面に設けられる第２側面連結部とからなり、前記第１側面連結部には、下向きに突出する棒状の連結棒を有し、前記第２側面連結部には、他のパネル体の前記連結棒が上から差し込まれる連結孔を有することを特徴とするものである。
【００１２】
（６）また、上記（１）乃至（５）のいずれかに記載のものにおいて、前記パネル体は、扉を有することを特徴とするものである。
【００１３】
（７）また、上記（１）乃至（６）のいずれかに記載のものにおいて、前記パネル体を４枚以上有し、これらのパネル体を環状に連結してなることを特徴とするものである。
【００１４】
（８）また、上記（１）乃至（６）のいずれかに記載のものにおいて、前記パネル体を３枚以上有し、これらのパネル体を平面視コ字状又は平面視ジグザグ状に連結してなることを特徴とするものである。
【発明の効果】
【００１５】
本発明に係るペット用多機能型パネル構造体は、複数のパネル体を連結してなるパネル構造体であって、隣接する前記各パネル体を回動可能にかつ着脱可能に連結する連結部と、隣接配置された前記パネル体の上部に跨るように設置され、隣接配置されたパネル体のなす角度を所望の角度に規制する角度規制部材とを備えてなり、前記角度規制部材は、隣接する一方のパネル体側に設置される部材と、隣接する他方のパネル体側に設置される部材とで構成される一対からなり、各部材は、前記パネル体の上部に着脱可能に設置されるパネル設置部と、互いに係合して各部材の成す角度を所望の角度に規制する角度規制部とを有するので、隣接するパネル体の連結と角度規制を異なる部位にて行うことができ、かつ角度規制部材によって所望の角度規制を行えるようにしたので、組立、分解、形状変更の操作が極めて簡単であり、操作性に優れている。
【図面の簡単な説明】
【００１６】
【図１】本実施の形態に係るペット用多機能型パネル構造体を説明する図である。
【図２】図１に示すペット用多機能型パネル構造体の一部を拡大して図示したものである。
【図３】図２に示したものを下から見上げた図である。
【図４】実施の形態に係るペット用多機能型パネル構造体の結合ピンの説明図である。
【図５】実施の形態に係るペット用多機能型パネル構造体のパネル体の説明図である。
【図６】実施の形態に係るペット用多機能型パネル構造体の角度規制部材の説明図である。
【図７】実施の形態に係るペット用多機能型パネル構造体の角度規制部材の説明図である。
【図８】図６と図７に示す角度規制部材の係合方法の説明図である。
【図９】実施の形態に係るペット用多機能型パネル構造体の組立方法の説明図である（その１）。
【図１０】実施の形態に係るペット用多機能型パネル構造体の組立方法の説明図である（その２）。
【図１１】実施の形態に係るペット用多機能型パネル構造体の組立方法の説明図である（その３）。
【図１２】実施の形態に係るペット用多機能型パネル構造体の分解方法の説明図である（その１）。
【図１３】図５に示したものとは別のパネル体を図示したものである。
【図１４】実施の形態に係るペット用多機能型パネル構造体の組立例について説明した図である。
【図１５】図１４に示したペット用多機能型パネル構造体の組立方法について説明した図である。
【図１６】図１４に示したペット用多機能型パネル構造体のとは別の組立例について説明した図である。
【図１７】図１４、図１６に示したペット用多機能型パネル構造体のとは別の組立例について説明した図である。
【発明を実施するための形態】
【００１７】
本実施の形態に係るペット用多機能型パネル構造体１は、図１に示すように、３枚のパネル体３を連結してなるパネル構造体であって、隣接するパネル体３を回動可能にかつ着脱可能に連結する連結部（第１側面連結部５、第２側面連結部７）（図５参照）と、隣接配置されたパネル体３の上部に跨るように設置され、隣接するパネル体３のなす角度を所望の角度に規制する角度規制部材（角度規制上部材９と角度規制下部材１１）と、角度規制上部材９と角度規制下部材１１をパネル体３側に固定するための固定ピン１３とを備えてなるものである。
【００１８】
まず、ペット用多機能型パネル構造体１の全体構成について図１〜３に基づいて概説する。
図１に示すように、図中央のパネル体３と図左側のパネル体３は、図の手前に折れ曲がるように連結されており、図中央のパネル体３と図右側のパネル体３は、図の奥側に折れ曲がるように連結されている。
図２は、図１中の丸で囲んだ部分を拡大して示したものであり、図３は、図２で示したものを下から見上げるようにして図示したものである。
図２、図３において図示された部材は、上から順番に、固定ピン１３、角度規制上部材９、角度規制下部材１１、次いでパネル体３に設置され固定ピン１３と係合する固定ピン係合部材２１である。固定ピン係合部材２１には、図２に示すように、固定ピン１３と係合するための係合孔２３が設けられている。
次に、ペット用多機能型パネル構造体１の各構成部材について、主に図４〜図８に基づいて、以下に詳細に説明する。
【００１９】
＜固定ピン＞
固定ピン１３は、本発明における固定部材の一態様である。
固定ピン１３は、互いに係合した状態の角度規制上部材９と角度規制下部材１１を、パネル体３側に固定するために用いられる部材である。
固定ピン１３は、図４に示すように、棒状体からなり、一端に係合孔２３と係合するための係合部２５が形成され、他端には角度規制上部材９と係止するための鍔部２９が形成されている。また、鍔部２９にはつまみ部３１が形成されている。
【００２０】
係合部２５は、図４に示すように、棒状体の両側外方に突出する矩形の小片部からなり、鍵のような形状をしている。
鍔部２９は、図４に示すように、外方に張り出す円板からなる。また、鍔部２９の上面には、板状のつまみ部３１が形成されており、固定ピン１３を把持して操作しやすくなっている。
【００２１】
固定ピン１３を設けることにより、角度規制上部材９と角度規制下部材１１をパネル体３に固定することができ、ペット用多機能型パネル構造体１をそのハンドル部３３をもって上方に持ち上げて移動する際に、角度規制上部材９と角度規制下部材１１が外れるのを防止できると共に、角度規制上部材９と角度規制下部材１１を隣接するパネル体３の補助的な連結部材として機能させるという効果がある。
もっとも、固定部材としては、固定ピン１３に限られるものではなく、角度規制上部材９と角度規制下部材１１をパネル体３に固定するものであれば、他の態様であってもよい。なお、固定ピン１３、あるいは他の態様の固定部材は本発明において、必須の構成要件ではない。
【００２２】
＜パネル体＞
図１および図５に示すように、パネル体３は矩形の板状からなり、上部にはパネル体３を把持するためのハンドル部３３を有している。パネル体３のパネル面には、パネル体３の向こう側が見えるようにスリット３５が複数設けられている。
【００２３】
図５に示すように、パネル体３の一側面には第１側面連結部５が設けられ、他側面には第２側面連結部７が設けられている。第１側面連結部５には、外方に突出する凸辺部３７が２か所設けられている。各凸辺部３７の下面には、下向きに突出する連結棒３９が設けられている。
第２側面連結部７には、パネル体３を連結する際に、他のパネル体３の各凸辺部３７が入り込むための凹辺部４１が２か所設けられている。上側の凹辺部４１には上側の凸辺部３７が入り込み、下側の凹辺部４１には下側の凸辺部３７が入り込むようになっている。凹辺部４１は縦辺と上横辺、下横辺から構成されるが、各凹辺部４１の下横辺の上面には、他のパネル体３の連結棒３９が上から差し込まれる連結孔４３が設けられている（図９参照）。各凹辺部４１の縦辺の長さは、それぞれに入り込む凸辺部３７の辺の長さと該各凸辺部３７から突き出る連結棒３９の長さを足し合わせた長さよりも、長く設定されている。それ故に、各凹辺部４１に該各凹辺部４１に対応する各凸辺部３７が入り込むことができる。図１においては、各凹辺部４１に該各凹辺部４１に対応する凸辺部３７が入り込んで、各連結棒３９が各連結孔４３に差し込まれた状態となっている。
【００２４】
図２および図５に示すように、パネル体３の上部の両角には、角度規制上部材９または角度規制下部材１１のパネル設置部１５が着脱可能に設置されるための設置部４５が設けられている。設置部４５には設置される角度規制上部材９または角度規制下部材１１の設置力を強めるための凸部４７が設けられている。パネル体３の左右両角の設置部４５は同形である。
【００２５】
図２に示すように、パネル体３の第２側面連結部７の上方には、固定ピン係合部材２１が設置される固定ピン係合部材設置部４９を有している。
ここで固定ピン係合部材２１について説明する。固定ピン係合部材２１は、固定ピン１３の係合部２５が差し込まれて係合するための係合孔２３（図２参照）を有している。係合孔２３の開口部は、係合部２５の断面と略同一の形状となっており、係合孔２３の内部は、空洞となっている。係合部２５と係合孔２３との係合は、係合部２５を係合孔２３の内部まで挿入して、固定ピン１３を所定の角度だけ回転することで行われる。係合部２５が係合孔２３の内部まで挿入された状態で固定ピン１３を所定の角度だけ回転すると、これに伴って係合部２５が回転し、係合部２５が係合孔２３の開口部の縁と内側から当接するようになっている。
なお、本実施の形態では、パネル体３とは別部材（固定ピン係合部材２１）に係合孔２３を設けた例を示しているが、パネル体３自体に係合孔２３が設けられていてもよい。
【００２６】
＜角度規制上部材＞
角度規制部材は、角度規制上部材９と角度規制下部材１１からなる一対の部材によって構成される。
以下、角度規制上部材９と角度規制下部材１１を各別に説明する。
【００２７】
《角度規制上部材》
角度規制上部材９（図６参照）は、角度規制下部材１１と共に用いられ連結されたパネル体３同士のなす角度を規制するためのものである。図６（ａ）は、角度規制上部材９を斜め上から見た図であり、図６（ｂ）は角度規制上部材９を斜め下から見た図である。
角度規制上部材９は、図６に示すように、パネル体３の設置部４５に着脱可能に設置するためのパネル設置部１５と、角度規制下部材１１と係合して、係合した状態における各パネル設置部１５のなす角度を規制する第１角度規制部１７とを有する。
【００２８】
角度規制上部材９のパネル設置部１５は、図６（ｂ）に示すように、矩形状の有底枠体となっており、開口側をパネル体３の設置部４５に挿入して取り付けられる。
【００２９】
角度規制上部材９の第１角度規制部１７は、図６に示すように、中央に固定ピン１３が挿入される第１貫通孔５１を有する有底のリング状枠体となっている。角度規制上部材９の第１角度規制部１７の中央には、図６（ａ）に示すように、上面から一段下がった位置に円形状の平面部２７を有している。平面部２７は、角度規制上部材９が固定ピン１３によってパネル体３側に固定される際に、鍔部２９によって押圧される部位である。前記リング状枠体の内側には、図６（ｂ）に示すように、径方向に板状の角度規制用小片５３が設けられている。角度規制用小片５３には、角度規制下部材１１との係合の際に、角度規制下部材１１との当接力を強めるための肉厚部５５が設けられている。
【００３０】
《角度規制下部材》
角度規制下部材１１（図７参照）は、角度規制上部材９と共に用いられ連結されたパネル体３同士のなす角度を規制するためのものである。図７（ａ）は、角度規制下部材１１を斜め上から見た図であり、図７（ｂ）は角度規制下部材１１を斜め下から見た図である。
角度規制下部材１１は、図７に示すように、パネル体３の設置部４５に着脱可能に設置するためのパネル設置部１５と、角度規制上部材９と係合して、係合した状態における各パネル設置部１５のなす角度を規制する第２角度規制部１９とを有する。
【００３１】
角度規制下部材１１のパネル設置部１５は、図７に示すように、角度規制上部材９のパネル設置部１５と同形となっている。そのため、角度規制上部材９と角度規制下部材１１は、パネル体３の設置部４５の左右どちらにも設置可能となっている。
【００３２】
角度規制下部材１１の第２角度規制部１９は、図７（ａ）に示すように、中央に固定ピン１３が挿入される第２貫通孔５７を有するドーナツ体状の形状となっている。第２角度規制部１９には、第２貫通孔５７から外周に向かって放射状に形成され、かつ上面から３分の２程度の深さに凹陥するように形成された３つの深溝部（第１深溝部５９〜第３深溝部６３）が設けられている。第１深溝部５９は、パネル設置部１５の長手方向と同方向に延びるように設けられており、第２深溝部６１は第１深溝部５９から時計回りに６０度の箇所に、第３深溝部６３は第１深溝部５９から反時計回りに９０度の箇所に設けられている。
【００３３】
第１角度規制部１７と第２角度規制部１９は、第１角度規制部１７が、第２角度規制部１９にかぶさるようにして係合する。係合した状態において、角度規制上部材９に設けられた第１貫通孔５１と角度規制下部材１１に設けられた第２貫通孔５７は、連なって一つの貫通孔を形成するようになっている。
また、この係合に伴って角度規制用小片５３は第１深溝部５９〜第３深溝部６３のいずれかに挿入される。この際、第１深溝部５９〜第３深溝部６３をなす壁面と角度規制用小片５３の肉厚部５５が強く当接し、角度規制上部材９と角度規制下部材１１が外れにくくなっている。
このようにして、角度規制上部材９と角度規制下部材１１が係合することで、各パネル設置部１５のなす角度が規制される。なお、この角度を以下の説明において、パネル設置部規制角度という。
【００３４】
角度規制上部材９と角度規制下部材１１の係合において、角度規制用小片５３を第１深溝部５９〜第３深溝部６３のいずれに挿入するかを選択することによって、パネル設置部規制角度の選択が可能になっている。図８は、角度規制上部材９と角度規制下部材１１の係合パターンを説明した図である。図８（ａ）〜（ｃ）において黒色で塗りつぶされた部分は、各係合パターンで係合する際に角度規制用小片５３が挿入される深溝部であることを示している。
例えば、図８（ａ）に示すように、角度規制上部材９のパネル設置部１５の長手方向と、角度規制下部材１１のパネル設置部１５の長手方向を一致させるように係合させると、黒色で塗りつぶされた深溝部（第１深溝部５９）に角度規制用小片５３が挿入される。この際、パネル設置部規制角度は１８０度となる。
また、図８（ｂ）に示すように、角度規制用小片５３を黒色で塗りつぶされた深溝部（第２深溝部６１）に挿入させるように係合させれば、パネル設置部規制角度を１２０度にすることができる。
また、図８（ｃ）に示すように、角度規制用小片５３を黒色で塗りつぶされた深溝部（第３深溝部６３）に挿入させるように係合させれば、パネル設置部規制角度を９０度にすることができる。
【００３５】
上記の説明では、角度規制上部材９と角度規制下部材１１が係合した際における各パネル設置部１５のなす角度について説明してきたが、角度規制上部材９と角度規制下部材１１がパネル体３に設置されることで、該各パネル体のなす角度を規制することができる。この角度を以下の説明において、パネル規制角度という。
例えば、図８（ａ）に示した状態はパネル設置部規制角度が１８０度であるが、これを連結されたパネル体３に設置すれば、パネル規制角度を１８０度にすることができる。
【００３６】
パネル設置部規制角度を１８０度にしたものを、２枚のパネル体３に設置する場合、角度規制上部材９（または角度規制下部材１１）を向かって左側のパネル体３、または右側のパネル体３どちらに設置したとしても、パネル規制角度は１８０度である。
一方、図８（ｂ）、（ｃ）に示したものの場合、設置する方向を選択することで、パネル規制角度を２パターン選択することができる。
例えば、図８（ｂ）に示した状態は、パネル設置部規制角度は１２０度である。これを２枚のパネル体３に設置する際に、角度規制上部材９を向かって左側のパネル体３に設置するようにすれば、パネル規制角度を、図の手前側に折れ曲がるように１２０度（各パネル体３のなす角度の図の手前側の角度で言えば２４０度）にすることができる。
また、角度規制上部材９を向かって右側のパネル体３に設置するようにすれば、パネル規制角度を、図の奥側に折れ曲がるように１２０度にすることができる。
【００３７】
同様に、図８（ｃ）に示した状態は、パネル設置部規制角度は９０度である。これを前記仮想の２枚のパネル体３に設置する際に、角度規制上部材９を向かって左側のパネル体３に設置するようにすれば、パネル規制角度を、図の奥側に折れ曲がるように９０度角にすることができる。
また、角度規制上部材９を向かって右側のパネル体３に設置するようにすれば、パネル規制角度を、図の手前側に折れ曲がるように９０度（各パネル体３のなす角度の図の手前側の角度で言えば２７０度）にすることができる。
【００３８】
上記のとおり、パネル設置部規制角度を選択し、設置する方向を選択することで、連結される各パネル体３のパネル規制角度を５種類の角度（各パネル体３のなす角度の図の手前側の角度で言えば、９０度、１２０度、１８０度、２４０度、２７０度）の中から選択することができる。
もっとも、角度規制上部材９と角度規制下部材１１による規制角度は上記の角度に限られるものではなく、角度規制上部材９の角度規制用小片５３と、角度規制下部材１１の深溝部の配置を任意に設定することで任意の規制角度を実現することができる。
【００３９】
次に、図１に示したペット用多機能型パネル構造体１の組立方法について、図９〜図１１に基づいて以下に説明する。以下においては、組み立て方法を概説し、次に詳細に説明する。
まず、隣接するパネル体３を連結させる（図９参照）。次に、所定のパネル設置部規制角度となるように角度規制上部材９と角度規制下部材１１を係合させ、これを所定の方向でパネル体３に設置する（図１０参照）。次に、固定ピン１３で角度規制上部材９と角度規制下部材１１をパネル体３側に固定する（図１１参照）。上記図９〜図１１に基づいて説明した手順を、必要な枚数（この例では３枚）のパネル体３について繰り返すことで、ペット用多機能型パネル構造体１となる。
以下に、図１における中央のパネル体３と図１における左側のパネル体３の組立を例に説明する。
【００４０】
パネル体３の連結について以下に説明する。まず、連結する各パネル体３を隣接させて立てる。次に、図中央のパネル体３を持ち上げ、該パネル体３の各凸辺部３７を、図左側のパネル体３の各凹辺部４１に入り込ませ、この状態で図中央のパネル体３を下す。この際、連結棒３９が連結孔４３に差し込まれ（図９参照）連結される。各パネル体３が連結されると、各パネル体３は連結棒３９を軸として回動可能となる。
【００４１】
角度規制上部材９と角度規制下部材１１の設置について説明する。パネル設置部規制角度が１２０度となるように、第１角度規制部１７と第２角度規制部１９とを係合させる（図１０（ａ）参照）。次に、該係合させた状態で、角度規制上部材９を図左側のパネル体３の設置部に、角度規制下部材１１を図中央のパネル体３の設置部４５に設置する（図１０（ｂ）参照）。こうすることでパネル規制角度が図の手前側に折れ曲がるように１２０度となる。
【００４２】
角度規制上部材９と角度規制下部材１１のパネル体３側への固定について説明する。図１０（ｂ）の状態で、第１貫通孔５１と第２貫通孔５７からなる貫通孔に上から固定ピン１３を挿入し（図１１（ａ）参照）、係合部２５が係合孔２３の内部まで来るようにする（図１１（ｂ）参照）。次に、つまみ部３１をつまんで固定ピン１３を所定の角度（９０度とするのが好ましい）だけ回転し、係合状態とする（図１１（ｃ）参照）。この際、鍔部２９が角度規制上部材９の平面部２７を押圧することで、角度規制上部材９と角度規制下部材１１がパネル体３側に固定される。
【００４３】
上記に示すような図９〜図１１に基づいて説明した手順と同様の手順を、図中央のパネル体３と図右側のパネルについて行うことで、ペット用多機能型パネル構造体１となる。
【００４４】
上記のようにして組み立てられたペット用多機能型パネル構造体１を移動するときは、図左側のパネル体３のハンドル部３３を持つことで、各連結部において、各凹辺部４１の上面で、各凸辺部３７側のパネル体３を持ち上げることができ、連結されたままの状態で移動させることができる。この際、パネル体３側に固定された角度規制上部材９と角度規制下部材１１は、連結を維持するための補助的な役割を有する。
【００４５】
ペット用多機能型パネル構造体１の分解方法について図１２に基づいて以下に説明する。
まず、固定ピン１３を回転して係合状態を解除し、固定ピン１３を抜く（図１２（ａ）参照）。次いで角度規制上部材９と角度規制下部材１１を取り外す（図１２（ｂ）参照）。次に連結された各パネル体３のうち、凸辺部３７側のパネル体３を持ち上げて連結棒３９を連結孔４３から抜き、連結を解除する（図１２（ｃ）参照）。上記の図１２（ａ）〜図１２（ｃ）に基づいて説明した示した手順を、必要な分だけ繰り返し、すべてのパネル体３の連結を解除して分解する。
【００４６】
組立状態にあるペット用多機能型パネル構造体１の形状を変更する場合には、角度規制上部材９と角度規制下部材１１を一旦取り外し、角度規制上部材９と角度規制下部材１１の成す角度を変更すると共に、隣接するパネル体３の角度を変更した角度に会うように調整して、再び角度規制上部材９と角度規制下部材１１をパネル体３に設置すればよい。
このように、ペット用多機能型パネル構造体１の形状変更は極めて簡単であり、操作性に優れる。それ故、パネル体３が大きくなり重くなった場合であっても、パネル体を持ち上げる必要がなく、一人、簡単な操作で可能である。
【００４７】
以上のように、本実施の形態のペット用多機能型パネル構造体１においては、隣接するパネル体３の連結は第１側面連結部５及び第２側面連結部７で行い、隣接するパネル体３の角度規制は、角度規制部材（角度規制上部材９、角度規制下部材１１）で行うというように、パネル体の連結と角度規制を異なる部位にて行うようにし、かつ角度規制上部材９と角度規制下部材１１を各パネル体３の上部に設置して所望の角度規制を行えるようにしたので、組立、分解、形状変更の操作が極めて簡単であり、操作性に優れている。
【００４８】
図１のペット用多機能型パネル構造体１はパネル体３を３枚としたが、パネル体３の枚数を増やすことも可能である。
また、パネル体３に替えて、図１３に示すような扉部６５と扉枠部６７を有する有扉パネル体６９を用いることもできる。
扉部６５は、矩形の板状からなり、一端で扉枠部６７と回動可能に連結されており、扉部６５が扉部６５の前後方向へ開閉可能となっている。扉部６５の他端の上下には、ペットによって扉部６５が開いてしまわないように、扉部６５が開くことを規制する上扉ストッパー７１と、下扉ストッパー７３が設けられている。扉部６５の上部にはハンドル部３３が設けられており、ハンドル部３３を持って扉部６５を上にあげると、上扉ストッパー７１および下扉ストッパー７３の規制を解除することができる。扉部６５の板面にはスリット３５が設けられている。
【００４９】
扉枠部６７は、略Ｕ字形状をしており、上扉ストッパー７１と係合して扉が開くことを規制する上扉ストッパー受部７５と、下扉ストッパー７３と係合して扉が開くことを規制する下扉ストッパー受部７７とを有している。
有扉パネル体６９の上記以外の構成、例えば、横幅や高さ、設置部４５や連結部（第１側面連結部５、第２側面連結部７）等は、図４に示したパネル体３と同様であり、連結するに際してパネル体３と有扉パネル体６９とを任意に入れ替えて使用することが可能である。
【００５０】
有扉パネル体６９を用いたものの一例として、図１４に平面視Ｗ字状の第２ペット用多機能型パネル構造体７９を示す。第２ペット用多機能型パネル構造体７９は、ペット用多機能型パネル構造体１に用いた３枚のパネル体３に加えて、有扉パネル体６９を１枚用いて構成されている。これらの各パネル体３（または有扉パネル体６９）は、図１５に示すように、図の左側からパネル体３を２枚、それらの右側に有扉パネル体６９、さらにその右側にパネル体３を１枚並べて連結して組立てられたものである。パネル規制角度は、それぞれ１２０度に、かつ、左側から順番に図の手前側、奥側、手前側に折れ曲がるように規制されて、平面視Ｗ字状を形成している。
【００５１】
第２ペット用多機能型パネル構造体７９は、図１４に示すように、例えば、廊下と部屋との境界部に設置することで、ペットが部屋から廊下へ、または廊下から部屋へ通行することを規制するペット用ゲートとして用いることができる。
【００５２】
また、第２ペット用多機能型パネル構造体７９の形態は、平面視Ｗ字状であったが、各連結部におけるパネル規制角度を変更すれば、さまざまな形態とすることができる。
例えば、第２ペット用多機能型パネル構造体７９の各連結部におけるパネル規制角度を変更すれば、図１６（ａ）に示すような平面視コ字状の第３ペット用多機能型パネル構造体８１とすることができ、第３ペット用多機能型パネル構造体８１を廊下の出入り口に設置することで、ペット用ゲートの別形態として用いることができる。
【００５３】
また、設置する場所を変更することで、別の用途に用いることができる。
例えば、第３ペット用多機能型パネル構造体８１を、図１６（ｂ）に示すように壁際に設置すれば、囲いとして用いることができる。
【００５４】
また、形態と設置する場所の組み合わせを変えれば、さらに用途を増やすことができる。
例えば、図１６（ｃ）に示すように、平面視Ｌ字状にした第４ペット用多機能型パネル構造体８３を部屋の隅に設置すれば、囲いの別形態として用いることができる。
【００５５】
また、壁を利用しなくても、図１７（ａ）に示す第５ペット用多機能型パネル構造体８５のように、平面視ロ字状にすれば、独立した囲い（いわゆるペット用サークル）として用いることができる。
【００５６】
また、第５ペット用多機能型パネル構造体８５にパネル体３を２枚追加して連結すれば、図１８（ｂ）に示すような直方体枠状のペット用サークル（第６ペット用多機能型パネル構造体８７）として用いることができる。
【００５７】
また、第６ペット用多機能型パネル構造体８７の各連結部におけるパネル規制角度をすべて１２０度に変更すれば、図１８（ｃ）に示すような正六角形枠状ペット用サークル（第７ペット用多機能型パネル構造体８９）として用いることができる。
【００５８】
以上のように、本実施の形態のペット用多機能型パネル構造体１を用いれば、さまざまな用途に対応することができる。また、ペット用多機能型パネル構造体１にパネル体３（または有扉パネル体６９）を追加して用いることで、さらにさまざまな用途に対応することができる。
【符号の説明】
【００５９】
１  ペット用多機能型パネル構造体
３  パネル体
５  第１側面連結部
７  第２側面連結部
９  角度規制上部材
１１  角度規制下部材
１３  固定ピン
１５  パネル設置部
１７  第１角度規制部
１９  第２角度規制部
２１  固定ピン係合部材
２３  係合孔
２５  係合部
２７  平面部
２９  鍔部
３１  つまみ部
３３  ハンドル部
３５  スリット
３７  凸辺部
３９  連結棒
４１  凹辺部
４３  連結孔
４５  設置部
４７  凸部
４９  固定ピン係合部材設置部
５１  第１貫通孔
５３  角度規制用小片
５５  肉厚部
５７  第２貫通孔
５９  第１深溝部
６１  第２深溝部
６３  第３深溝部
６５  扉部
６７  扉枠部
６９  有扉パネル体
７１  上扉ストッパー
７３  下扉ストッパー
７５  上扉ストッパー受部
７７  下扉ストッパー受部
７９  第２ペット用多機能型パネル構造体
８１  第３ペット用多機能型パネル構造体
８３  第４ペット用多機能型パネル構造体
８５  第５ペット用多機能型パネル構造体
８７  第６ペット用多機能型パネル構造体
８９  第７ペット用多機能型パネル構造体
【図１】
2013123395.tif 000003
【図２】
2013123395.tif 000004
【図３】
2013123395.tif 000005
【図４】
2013123395.tif 000006
【図５】
2013123395.tif 000007
【図６】
2013123395.tif 000008
【図７】
2013123395.tif 000009
【図１３】
2013123395.tif 000010
【図１５】
2013123395.tif 000011
【図８】
2013123395.tif 000012
【図９】
2013123395.tif 000013
【図１０】
2013123395.tif 000014
【図１１】
2013123395.tif 000015
【図１２】
2013123395.tif 000016
【図１４】
2013123395.tif 000017
【図１６】
2013123395.tif 000018
【図１７】
2013123395.tif 000019